(57)【要約】  液体透過性トップシート、液体不透過性バックシート、及び前記トップシートと前記バックシートとの間に配設された吸収性コアを有する吸収性物品が開示される。前記バックシートは、少なくとも１つの軸線に沿った物理的変化を有し、前記物理的変化は、第１バックシート区域及び第２バックシート区域を画定し、、少なくとも１つの主要伸張方向を有する少なくとも１つのエラストマー要素であって；前記エラストマー要素は第１及び／又は第２バックシート区域と少なくとも部分的に重なり合って接合され、前記エラストマー要素の主要伸張方向における弛緩経路長は、前記バックシートの重なり合った領域内の全経路長よりも短い、ところのエラストマー要素を有する。物理的変化とは、坪量、厚さ及び密度から成る群から選択される物理的特性により測定されたときに測定できる差異である。
2007530232.tif 000002
【特許請求の範囲】
【請求項１】
一体型の使い捨て吸収性物品であって、
衣類面表面と身体面表面とを有する吸収性コアと、
前記吸収性コアの前記身体面表面に隣接して配置された液体透過性トップシートと、
前記吸収性コアの前記衣類面表面に隣接して配置された液体不透過性バックシートであって；前記バックシートは少なくとも１つの軸線に沿って物理的変化を有し、前記物理的変化は第１バックシート区域及び第２バックシート区域を画定し、前記物理的変化は測定可能な差異であり、前記物理的変化は坪量、厚さ及び密度から成る群から選択される物理的特性によって測定される、ところの液体不透過性バックシートと、
少なくとも１つの主要伸張方向を有する少なくとも１つのエラストマー要素であって；前記エラストマー要素は前記第２バックシート区域に少なくとも部分的に重なり合って接合され、前記エラストマー要素の主要伸張方向における弛緩経路長は、前記バックシートの重なり合った領域内における全経路長よりも短い、ところのエラストマー要素と、
を備えることによって特徴付けられる、一体型の使い捨て吸収性物品。
【請求項２】
前記軸線が長手方向軸線である、請求項１に記載の吸収性物品。
【請求項３】
前記第１バックシート区域及び前記第２バックシート区域が、前記長手方向軸線と部分的に重なり合う、請求項２に記載の吸収性物品。
【請求項４】
前記軸線が横方向軸線である、請求項１に記載の吸収性物品。
【請求項５】
請求項１に記載の吸収性物品であって、前記物品が、
前側ウエスト領域と、
後側ウエスト領域であって；前記前側及び後側ウエスト領域は前記物品の反対側の末端部に位置し、前記前側及び後側ウエスト領域は前記物品が着用されたときに着用者のウエストを概ね取り囲む、ところの後側ウエスト領域と、
股領域であって；前記股領域は前記前側及び後側ウエスト領域の中間に位置し、前記股領域は前記前側及び後側ウエスト領域の間で長手方向に延び、前記股領域は着用者の一対の脚の間に概ね配置される、ところの股領域と、
臀部領域であって；前記股領域は前記前側及び後側ウエスト領域の中間に位置し、前記臀部領域は前記後側ウエスト領域の近位端付近に位置している、ところの臀部領域と、
をさらに備え、
前記第１バックシート区域は主に前記股領域及び前記前側ウエスト領域内に配設され、前記第２バックシート区域は前記後側ウエスト領域内に少なくとも部分的に配設された、吸収性物品。
【請求項６】
請求項１に記載の吸収性物品であって、前記物品が、
前側ウエスト領域と、
後側ウエスト領域であって；前記前側及び後側ウエスト領域は前記物品の反対側の末端部に位置し、前記前側及び後側ウエスト領域は前記物品が着用されたときに着用者のウエストを概ね取り囲む、ところの後側ウエスト領域と、
股領域であって；前記股領域は前記前側及び後側ウエスト領域の中間に位置し、前記股領域は前記前側及び後側ウエスト領域の間で長手方向に延び、前記股領域は着用者の一対の脚の間に概ね配置される、ところの股領域と、
臀部領域であって；前記股領域は前記前側及び後側ウエスト領域の中間に位置し、前記臀部領域は前記後側ウエスト領域の近位端付近に位置している、ところの臀部領域と、
をさらに備え、
前記第１バックシート区域は主に前記股領域及び前記前側ウエスト領域内に配設され、前記第２バックシート区域は前記臀部領域内に少なくとも部分的に配設された、吸収性物品。
【請求項７】
前記物理的変化は、前記第２バックシート区域が前記第１バックシート区域よりもさらに低い値を有するような変化である、請求項１に記載の吸収性物品。
【請求項８】
前記選択された物理的特性は坪量であり、前記物理的変化は、前記第２バックシート区域の坪量の、前記第１バックシート区域内の坪量に対する比率が少なくとも０．６であるような比率として測定される、請求項１に記載の吸収性物品。
【請求項９】
前記エラストマー要素の弛緩経路長の、前記第２バックシート区域内の接合区域内における前記バックシートの全経路長に対する比率が約０．８未満である、請求項１に記載の吸収性物品。
【請求項１０】
前記物理的特性に関して、前記第１及び第２バックシート区域の対応する値とは異なる値を有する第３バックシート区域を備えることによってさらに特徴付けられる、請求項１に記載の吸収性物品。
【発明の詳細な説明】
【技術分野】
【０００１】
本発明は、着用者の解剖学的構造に対するフィット維持及び適合性のために伸縮特性を有すると同時に、着用者の解剖学的構造の変化する三次元的性質に適応することもできる、使い捨て吸収性物品に関する。
【背景技術】
【０００２】
使い捨ておむつ並びに成人用失禁ブリーフなどの吸収性物品の主要機能は、身体排出物を吸収及び収容することである。かかる製品の１つの一般的な失敗のあり方は、身体排出物が直ちに物品内に吸収されないため、身体排出物が物品と着用者の脚及び／又はウエストとの間の隙間から隣接した衣類へ漏れ出すときに起こる。そのようなものとして、現在の吸収性物品は、典型的にはウエスト、サイド及びカフ領域内に伸縮性材料を含み、物品のフィット維持及び良好な封入性を着用者の体に提供する。
【０００３】
かかる伸縮性材料を提供するための１つの既知の技術は、エラストマー材で作られたストランド、フィルム又は不織布繊維ウェブを組み込むことである。典型的には、かかる材料は、少なくとも１つの、場合により複数の方向に伸縮可能である。しかし、フィルム又はウェブは全体にエラストマー材で作られているので、比較的高価である。その上、これらの材料は、皮膚表面上でより大きい抵抗を有する傾向があり、結果として物品の着用者に不快感をもたらす。幾つかの選択されたアプローチでは、これらの伸縮性ストランド又はフィルムは、不織布ウェブ、プラスチックフィルム、若しくは不織布／フィルム複合物などの、１つ以上の基材層に積層されている。これらの基材は、典型的には熱可塑性材料で作られているので、極めて限られた伸縮性を有すると共に、比較的堅い。その結果として、これらの積層構造体は、伸張及び／又は着用者の形状に対する適合性にかなりの抵抗を示す。この適合性の欠如は、これらの積層体の均一性によって悪化し、故に、積層体は着用者の解剖学的構造の変化する三次元的性質に適応できなくなる。
【０００４】
かかる伸縮性材料を提供するための別の既知の技術は、伸縮結合積層体及び狭窄結合積層体を組み込むことである。伸縮結合積層体は、弾性ストランドを縦方向（ＭＤ）に伸張し、伸張した状態のままで不織布基材に積層し、不織布に皺が寄って縮んだ状態になるように加えられた張力を緩めることにより製造される。一方、狭窄結合積層体は、最初に不織布基材をくびれができるように（つまり、横断方向（ＣＤ）の寸法が小さくなるように）縦方向に伸張し、次いで基材が伸張してくびれた状態のままでＣＤ方向に向いた弾性ストランドを基材に結合することにより製造される。従って、狭窄結合積層体は、少なくとも狭窄させる前の不織布の当初の幅まで、ＣＤ方向に伸張可能である。幾つかの選択されたアプローチでは、伸縮結合及び狭窄結合技術の組み合わせを使用して、ＭＤ及びＣＤ方向の両方に伸張させる。この複合アプローチでは、積層体の構成要素が互いに接合されたときに、少なくとも１つの構成要素が引っ張られた（つまり、伸張した）状態になっている。この複合アプローチは複数方向の伸縮性を提供するものの、これら複合積層体の均一性は、着用者の解剖学的構造の変化する三次元的性質に適応することができない。
【０００５】
かかる伸縮性材料を提供するためのさらに別の既知の技術は、ゼロ歪伸縮積層体を組み込むことである。ゼロ歪伸縮積層体は、エラストマーと不織布をどちらも緩めた状態で結合して製造される。その後、これらの積層体は漸増的に伸張されて伸縮特性が付与される。これらの漸増的に伸張された積層体は、積層体の回復しなかった（つまり、残っている）伸張性によってもたらされる量だけ伸張できる。例えば、米国特許第５，１５６，７９３号では、エラストマーと不織布の積層体を不均一に漸増的に伸張し、得られた積層体に弾性を付与する方法が開示されている。このアプローチでは、不均一な伸縮性がもたらされることがあるものの、この選択不可能な伸張は、着用者の解剖学的構造の変化する三次元的性質に適切に適応しない。
【発明の開示】
【発明が解決しようとする課題】
【０００６】
必要とされているのは、着用者の解剖学的構造に対するフィット維持及び適合性のための伸縮特性を有すると同時に、着用者の解剖学的構造の変化する三次元的性質に適応することもできる吸収性物品である。さらに具体的には、前記吸収性物品は、より良いフィット、快適性、及び着用者の外観のために着用者に合わせて適切な形状及び／又は大きさに作られ、しかも、着用者に付けるときに必要とされる張力を維持する能力を有して物品のフィット維持、並びに弛み及び／又は垂れ下がり防止を達成すべきである。例えば、前記吸収性物品は、臀部及び／又はウエスト領域のより良い成形（即ち、体形適合）を提供すべきである。おむつの場合、おむつが着用者の形状により良く適合するので、より良いフィット及び快適性は漏れの低減などのより良い機能的性能も付与することができる。
【課題を解決するための手段】
【０００７】
衣類面表面と身体面表面とを有する吸収性コア、前記吸収性コアの前記身体面表面に隣接して配置された液体透過性トップシート、前記吸収性コアの前記衣類面表面に隣接して配置された液体不透過性バックシートであって、少なくとも中央領域内で少なくとも長手方向軸線に重なり合って沿うバックシートの物理的変化を有し、前記物理的変化は、第１バックシート区域及び第２バックシート区域を画定する、ところの液体不透過性バックシートと、少なくとも１つの主要伸張方向を有する少なくとも１つのエラストマー要素であって；前記エラストマー要素は前記第２バックシート区域に少なくとも部分的に重なり合って接合され、前記エラストマー要素の主要伸張方向における弛緩経路長は、前記バックシートの重なり合った領域内の全経路長よりも短い、ところのエラストマー要素と、を備える、一体型の使い捨て吸収性物品。物理的変化は、坪量、厚さ及び密度から成る群から選択される物理的特性により測定されたときに測定できる差異である。物理的変化とは、前記第２バックシート区域が前記第１バックシート区域よりもさらに低い値を有するような特性である。
【０００８】
吸収性物品は、前側ウエスト領域、後側ウエスト領域、股領域、及び任意に臀部領域をさらに備える。バックシート区域は、前記領域の１つ以上の中に配置されてもよい。吸収性物品は、１つ以上の領域内に配置されることのある第３バックシート区域をさらに備えてもよい。吸収性物品は、１つ以上のバックシート区域内に配置されることのある第２エラストマー要素をさらに備えてもよい。第１及び／又は第２エラストマー要素は、線形又は非線形（例えば、ほぼＵ字形など）であってもよい。
【０００９】
吸収性物品は、使い捨ておむつ（例えば、パンツ、予備成形されていないおむつ）、月経用、成人用失禁製品、又は他のいずれかの同様の製品であってもよい。
【発明を実施するための最良の形態】
【００１０】
本明細書は、本発明を特に指摘し且つ明白に請求する特許請求の範囲をもって結論とするが、本発明は、以下の図面を添付の明細書と併せ読むことによってさらによく理解されるものと考えられ、類似の構成要素には同じ参照番号が付与される。
【００１１】
本明細書で使用するとき、次の用語は、次の意味を有する。
【００１２】
用語「使い捨て」は、本明細書では、洗濯する、ないしは別の方法で吸収性物品として復元するか再利用されることを一般に意図しない（即ち、１回の使用後に廃棄する、好ましくはリサイクルする、堆肥化する、ないしは環境に適合する方法で処理することを意図する）吸収性物品を説明するために使用される。
【００１３】
用語「配置される」とは、１つの要素（単数又は複数）が特定の場所又は位置で他の要素と共に一体型構造体として、又は他の要素に接合された別個の要素として形成（接合及び配置）されることを意味するために使用する。
【００１４】
用語「接合した」は、１つの要素を他の要素に直接付着させることによりその要素が他の要素に直接固定される構成と、１つの要素を中間部材に付着させて次に中間部材を他の要素に付着させることによりその要素が他の要素に間接的に固定される構成とを包含する。
【００１５】
用語「一体型の」吸収性物品とは、共に合体された別個の部分から形成され、調和した統一体を形成し、別個のホルダ及びライナーのような別個の操作部分を必要としない吸収性物品を指す。
【００１６】
用語「おむつ」とは、乳幼児及び失禁症者により胴体下部の周りで概ね着用される吸収性物品を指す。
【００１７】
用語「伸張」とは、材料が一次元の方向に加えられた引っ張り力（即ち、張力）を受けたとき、少なくとも一次元においてその当初の長さを超えて延びる能力を有することを意味する。「伸張」は、一方向性、二方向性、又は多方向性であってもよい。材料の特定の「伸張」特性は、伸張ベクトルのいずれかに沿って変化してもよい。本明細書で使用するとき、伸張は、塑性及び弾性変形の両方を包含する。
【００１８】
用語「弾性的」又は「弾性」とは、伸張前の寸法の材料に張力若しくは力を加え、次に、材料への伸張張力を緩める（即ち、材料を弛緩させる）といった伸張−弛緩サイクルの後、材料がその当初の伸張前の寸法の１２０％未満に戻る能力を有することを意味する。
【００１９】
用語「弾性抵抗力」とは、加えられた引っ張り力に抵抗する傾向がある弾性力について述べたものである。さらに、前記弾性力は、材料を、引っ張られていない形体に収縮しやすくさせる。弾性抵抗力は、Ｅｄａｎａ：引っ張り強度（Tensile Strength）２０．２−８９に記載された方式に従って便利に測定されてもよく、この場合、弾性抵抗力は材料サンプルが伸張度２５％まで伸張されたときに測定される。
【００２０】
用語「長手方向」は、物品の最長直線の長さに平行に走る方向を指し、長手方向の±４５°以内の方向を含む。「水平」又は「横」方向は、長手方向に直交する。「Ｚ方向」は、長手方向と横方向の双方向に直交する。「ｘ−ｙ平面」とは、長手方向及び横方向に相合する平面を指す。
【００２１】
用語「透水性」及び「非透水性」とは、使い捨て吸収性物品の意図される用途に関する材料の浸透性を指す。特に、用語「透水性」は、押しつける圧力がないときに液状の水がその厚さを通過するのを可能にする孔、開口部、及び／又は結合された空隙を有する層又は層状構造体を指す。逆に、用語「非透水性」は、押しつける圧力がないときに液状の水がその厚さを通過できない層又は層状構造体を指す。この定義により非透水性である層又は層状構造体は、水蒸気に対して透過性であってもよい、即ち、「蒸気透過性」であってもよい。当該技術分野において周知であるように、吸収性物品において典型的に使用される材料の、水への透過性を測定するための一般的な方法は、静水圧試験であり、静水頭試験又は単に「水頭試験」とも呼ばれる。水頭試験に適した周知の簡潔な方法は、ＩＮＤＡ（元国際不織布・使い捨て用品協会（International Nonwovens and Disposables Association））、現在の不織布工業協会（Association of the Nonwoven Fabrics Industry））及びＥＤＡＮＡ（欧州使い捨て用品・不織布協会（European Disposables And Nonwovens Association））によって承認されている。
【００２２】
用語「基材」とは、単一層若しくは複数層を有する、フィルム、孔あきフィルム、不織布ウェブ、織布ウェブ、フォーム又はこれらの組み合わせ、或いは木材パルプ、変性又は修飾セルロース材などのセルロース材、及び同種のものなど、いずれかの材料を指す。本明細書で使用する用語「繊維性基材」は、例えば不織布材、織布材、編地材並びにそれらのいずれかの組み合わせなどの、天然材料又は合成材料のどちらか、又はそのいずれかの組み合わせであり得る、複数の繊維からなる材料を指す。
【００２３】
用語「不織布」は、連続的なフィラメント及び／又は不連続繊維から作られた布地を指す。不織布としては、カーディング短繊維、エアレイイング又はウェットレイイング短繊維によって作られたもの、並びにスパンボンディング及びメルトブローイングなどの押出成形プロセスを介して作られたものが挙げられる。不織布は１つ以上の不織布層を含むことができ、各層は連続フィラメント又は不連続繊維を含むことができる。不織布はまた、バイコンポーネント繊維を含むこともでき、シェル／コア、並列、又はその他の既知の繊維構造を有することができる。
【００２４】
用語「経路長」は、当該領域のトポグラフィ表面に沿った、軸線に対してほぼ平行な方向の測定値を指す。例えば、伸張区域の特徴を示すとき、エラストマー要素の弛緩経路長が測定され、バックシート区域の全経路長（即ち、ギャザーを寄せた２次元のトポグラフィ経路に沿った表面全長）が測定される。それぞれの領域の経路長（即ち、表面経路長）を決定するための方法は、米国特許第５，９１６，６６３号、名称「弾性様挙動を示すウェブ材（Web materials exhibiting elastic-like behavior）」（チャッペル（Chappell）ら、１９９９年６月２９日発行）の中で説明された試験方法の項に見出すことができる。
【００２５】
図１は、その平らに展開した非収縮（即ち、伸縮性により生じる収縮のない）状態における本発明のおむつ２０の代表的な非限定的一般実施形態の平面図であり、構造体の部分は、おむつ２０の下層構造をより明瞭に示すために切り取られ、着用者に接触するおむつ２０の部分は、観察者に向いて示されている。おむつ２０は、長手方向軸線１０００と横方向軸線１１００とを含む。おむつ２０の１つの末端部分３６は、おむつ２０の前側ウエスト領域３６として構成される。対向する末端部分３８は、おむつ２０の後側ウエスト領域３８として構成される。おむつ２０の中間部分３７は、前側及び後側ウエスト領域３６及び３８の間で長手方向に延びる股領域３７として構成される。ウエスト領域３６及び３８は、一般に、着用されたときに着用者のウエストを取り巻くおむつ２０の部分を構成する。ウエスト領域３６及び３８は弾性要素を含み、着用者のウエストの周囲で縮んで、改善されたフィットと封入性を提供してもよい。股領域３７は、おむつ２０を着用したときに、着用者の脚の間に概ね位置するおむつ２０の部分である。おむつ２０の別の任意の中間部分３９は臀部領域として構成され、臀部領域は、示されたように後側ウエスト領域３８の近位端の中又は近くに位置してもよく、或いは股領域３７及び後側ウエスト領域３８と重なり合ってもよい。おむつ２０の外周は、それぞれ前側及び後側ウエスト領域３６，３８に沿って位置する、長手方向縁部１４及び端縁部１０，１２により画定される。
【００２６】
おむつ２０のシャーシ２２は、おむつ２０の本体を含む。シャーシ２２は、液体透過性トップシート２４及び／又は液体不透過性バックシート２６と、トップシート２４とバックシート２６との間に挟まれた吸収性コア２８の少なくとも一部分とを含む外側カバーを備える。一体型吸収性物品では、シャーシ２２は、複合おむつ構造体を形成するために付加された他の機構を有するおむつの主要構造体を含む。トップシート２４、バックシート２６、及び吸収性コア２８は、様々な周知の構成に組み立てられてもよいが、好ましいおむつの構成は、米国特許第３，８６０，００３号、名称「使い捨ておむつの収縮可能な側部（Contractible Side Portions for Disposable Diaper）」（ケネス・Ｂ・ブエル（Kenneth B.Buell）、１９７５年１月１４日発行）；米国特許第５，１５１，０９２号（ブエル（Buell）、１９９２年９月９日発行）；及び米国特許第５，２２１，２７４号（ブエル（Buell）、１９９３年６月２２日発行）；及び米国特許第５，５５４，１４５号、名称「複数ゾーン構造の弾性様フィルムウェブの延伸性ウエスト機構を有する吸収性物品（Absorbent Article With Multiple Zone Structural Elastic-Like Film Web Extensible Waist Feature）」（ロー（Roe）ら、１９９６年９月１０日発行）；米国特許第５，５６９，２３４号、名称「使い捨てプルオンパンツ（Disposable Pull-On Pant）」（ブエル（Buell）ら、１９９６年１０月２９日発行）；米国特許第５，５８０，４１１号、名称「吸収性物品用サイドパネルを製造するためのゼロスクラップ方法（Zero Scrap Method For Manufacturing Side Panels For Absorbent Articles）」（ニース（Nease）ら、１９９６年１２月３日発行）；及び米国特許第６，００４，３０６号、名称「多方向延伸性サイドパネルを有する吸収性物品（Absorbent Article With Multi-Directional Extensible Side Panels）」（ローブルズ（Robles）ら、１９９９年１２月
２１日発行）に概ね記載されており、これらの各々を参考として本明細書に組み込む。
【００２７】
トップシート２４は、全体的に又は部分的に伸縮されてもよく、或いは収縮させてトップシート２４とコア２８との間に空隙空間を形成してもよい。弾性化された又は収縮されたトップシートを含む代表的な構造は、米国特許第４，８９２，５３６号、名称「弾性ストランドを有する吸収性物品（Absorbent Article Having Elastic Strands）」（デマレーズ（Des Marais）ら、１９９０年１月９日発行）；米国特許第４，９９０，１４７号、名称「排出物隔離のための弾性ライナーを有する吸収性物品（Absorbent Article With Elastic Liner For Waste Material Isolation）」（フリーランド（Freeland）、１９９１年２月５日発行）；米国特許第５，０３７，４１６号、名称「弾性的延伸性のトップシートを有する使い捨て吸収性物品（Disposable Absorbent Article Having Elastically Extensible Topsheet）」（アレン（Allen）ら、１９９１年８月６日発行）；及び米国特許第５，２６９，７７５号、名称「使い捨て吸収性物品用の三分割トップシート及びその三分割トップシートを有する使い捨て吸収性物品（Trisection Topsheets For Disposable Absorbent Articles and Disposable Absorbent Articles Having Such Trisection Topsheets）」（フリーランド（Freeland）ら、１９９３年１２月１４日発行）にさらに詳細に説明され、これらの各々を参考として本明細書に組み込む。
【００２８】
吸収性コア２８は、通常圧縮性であって、快適で、着用者の皮膚に対して非刺激性であり、尿などの液体及び他のある種の身体排泄物を吸収して保持できる、いかなる吸収性材料をも含んでもよい。吸収性コア２８は、使い捨ておむつ、及びエアフェルトと一般に呼ばれる粉砕木材パルプのような他の吸収性物品に通常使用される、多種多様な液体吸収性材料を含んでもよい。他の好適な吸収性材料の例としては、捲縮セルロース詰め物、コフォーム（co-form）を含むメルトブローポリマー、化学的に剛化、改質、若しくは架橋されたセルロース繊維、ティッシュラップとティッシュラミネートとを含むティッシュ、吸収性発泡体、吸収性スポンジ、超吸収性ポリマー、吸収性ゲル材料、又は他のいかなる既知の吸収性材料、又はこれらの材料の組み合わせなども挙げられる。
【００２９】
吸収性組立品として使用される代表的な吸収性構造体が、米国特許第４，６１０，６７８号、名称「高密度吸収性構造物（High-Density Absorbent Structures）」（ウェイスマン（Weisman）ら、１９８６年９月９日発行）；米国特許第４，６７３，４０２号、名称「二重層コアを有する吸収性物品（Absorbent Articles With Dual-Layered Cores）」（ウェイスマン（Weisman）ら、１９８７年６月１６日発行）；米国特許第４，８３４，７３５号、名称「低密度及び低坪量の獲得帯を有する高密度吸収性部材（High Density Absorbent Members Having Lower Density and Lower Basis Weight Acquisition Zones）」（アレメニー（Alemany）ら、１９８９年５月３０日発行）；米国特許第４，８８８，２３１号、名称「除塵層を有する吸収性コア（Absorbent Core Having A Dusting Layer）」（アングスタッド（Angstadt）、１９８９年１２月１９日発行）；米国特許第５，１３７，５３７号、名称「個別化されたポリカルボン酸架橋木材パルプセルロース繊維を含有する吸収性構造（Absorbent Structure Containing Individualized,Polycarboxylic Acid Crosslinked Wood Pulp Cellulose Fibers）」（ヘロン（Herron）ら、１９９２年８月１１日発行）；米国特許第５，１４７，３４５号、名称「失禁管理用の高効率吸収性物品（High Efficiency Absorbent Articles For Incontinence Management）」（ヤング（Young）ら、１９９２年９月１５日発行）；米国特許第５，３４２，３３８号、名称「低粘性便物質用の使い捨て吸収性物品（Disposable Absorbent Article For Low-Viscosity Fecal Material）」（ロー（Roe）、１９９４年８月３０日発行）；米国特許第５，２６０，３４５号、名称「水性体液用の吸収性発泡材料とそのような材料を含む吸収性物品（Absorbent Foam Materials For Aqueous Body Fluids and Absorbent Articles Containing Such Materials）」（デマレー（DesMarais）ら、１９９３年１１月９日発行）；米国特許第５，３８７，２０７号、名称「水性体液用の湿潤まで薄い吸収性発泡材料及びその材料を製造するプロセス（Thin-Until-Wet Absorbent Foam Materials For Aqueous Body Fluids And Process For Making Same）」（ダイヤー（Dyer）ら、１９９５年２月７日発行）；米国特許第５，３９７，３１６号、名称「発泡性吸収材料からなる水性体液用スリット付き吸収性部材（Slitted Absorbent Members For Aqueous Body Fluids Formed Of Expandable Absorbent Materials）」（ラボン（LaVon）ら、１９９５年３月１４日発行）；及び米国特許第５，６２５，２２２号、名称「非常に高い水対油比を有する高不連続相エマルジョンから製造された水性流体用の吸収性発泡材料（Absorbent Foam Materials For Aqueous Fluids Made From high Internal Phase Emulsions Having Very High Water-To-Oil Ratios）」（デマレー（DesMarais）ら、１９９７年７月２２日発行）に記載されている。これら特許の各々を参考として本明細書に組み込む。
【００３０】
バックシート２６は、一般的に、吸収性コア２８の衣類に面する表面に隣接して配置されたおむつ２０の部分である。バックシート２６は、その中に吸収及び収容された排泄物が、ベッドシーツ及び下着のような、おむつ２０に接触することのある物品を汚すことを阻止する。好ましい実施形態では、バックシート２６は、液体（例えば尿）に対して実質的に不透過性であり、不織布と、厚さ約０．０１２ｍｍ（０．５ミル）〜約０．０５１ｍｍ（２．０ミル）の熱可塑性フィルムなどの薄いプラスチックフィルムとの積層体を含む。好適なバックシートフィルムとしては、インディアナ州テレホート（Terre Haute）のトレデガー・インダストリーズ社（Tredegar Industries Inc.）により製造され、Ｘ１５３０６、Ｘ１０９６２及びＸ１０９６４の商品名で販売されるものが挙げられる。他の好適なバックシート材としては、おむつ２０から蒸気を逃す一方で、依然として排出物がバックシート２６を通過することを防ぐ通気性材料が挙げられてもよい。代表的な通気性材料としては、織布ウェブ、不織布ウェブ、フィルムコーティング不織布ウェブなどの複合材料、並びにＥＳＰＯＩＲ  ＮＯの名称で日本の三井東圧株式会社（Mitsui Toatsu Co.）により製造されるような、及びエグゼア(EXXAIR)の名称でテキサス州ベイシティー（Bay City）のエクソン・ケミカル社（EXXON Chemical Co.）により製造されるようなミクロ孔質フィルムなどの材料を挙げてもよい。ポリマーブレンドを含む好適な通気性複合材料は、ハイトレル（HYTREL）ブレンドＰ１８−３０９７の名称でオハイオ州シンシナティ（Cincinnati）のクロペイ社（Clopay Corporation）から入手可能である。かかる通気性複合材料は、ＰＣＴ特許出願ＷＯ９５／１６７４６（Ｅ．Ｉ．デュポン（E. I. DuPont）の名前で１９９５年６月２２日公開）、及び同時係属中の米国特許出願０８／７４４，４８７（キュロ（Curro）の名前で１９９６年１１月６日出願）にさらに詳細に記載されている。不織布ウェブ及び孔あき成形フィルムを含む他の通気性バックシートは、米国特許第５，５７１，０９６号（ドブリン（Dobrin）ら、１９９６年１１月５日発行）に記載されている。代表的な好適なバックシートは、米国特許第６，１０７，５３７号、名称「皮膚コンディションの利点をもたらす使い捨て吸収性用品（Disposable absorbent articles providing a skin condition benefit」、エルダー（Elder）ら、２０００年８月２２日発行）に開示されている。その他の好適な材料及び／又は製造技術を使用して、表面処理、特定のフィルムの選択及び加工、特定のフィラメントの選択及び加工などを含むがこれらに限定されない、好適なバックシート２６を提供してもよい。これらの参考文献の各々を、参考として本明細書に組み込む。
【００３１】
バックシート２６はまた、図１で例示されたように１つを超える層から成ってもよく、バックシート外側層２６（バックシートと呼ばれることも多い）は柔らかい不織布材料で作られてもよく、バックシート内側層２７はほぼ不透過性のフィルムで作られてもよい。接着剤２９、又は他のいずれかの好適な材料若しくは方法を使用して層２６及び２７を互いに接合してもよい。これらの材料を取り付ける１つの既知の方法は、接着剤を連続的な縞模様、非連続的な縞模様、又は水玉模様で適用することである。本明細書では様々なバックシート構成が考えられるが、本発明の精神及び範囲から逸脱することなく様々な他の変更及び修正が可能であることは当業者にとって明白である。
【００３２】
おむつ２０はまた、締結装置５５を含んでもよい。締結装置５５は、第１ウエスト領域３６及び第２ウエスト領域３８を、おむつ２０の周りで横方向の引っ張りを提供するような形体に維持し、おむつ２０を着用者に保持させるのが好ましい。締結装置５５は、好ましくはテープ状ひも、マジックテープ（登録商標）（hook and loop）締結構成要素などの締結具、タブ＆スロット、バックル、ボタン、スナップなどの連結締結具、並びに／又は雌雄同体型（hermaphroditic）締結構成要素を備えるが、その他のいずれかの既知の締結手段が一般に容認可能である。幾つかの代表的な表面締結装置は、米国特許第３，８４８，５９４号、名称「使い棄ておしめのテープ式固定構造（Tape Fastening System for Disposable Diaper）」（ブエル（Buell）、１９７４年１１月１９日発行）；米国特許Ｂ１第４，６６２，８７５号、名称「吸収性物品（Absorbent Article）」（ヒロツ（Hirotsu）ら、１９８７年５月５日発行）；米国特許第４，８４６，８１５号、名称「改良されたと留め具装置を有する使い捨ておむつ（Disposable Diaper Having An Improved Fastening Device）」（スクリップス（Scripps）、１９８９年７月１１日発行）；米国特許第４，８９４，０６０号、名称「単位かぎフアスナー部分とそれを用いた使い捨て式下着（Disposable Diaper With Improved Hook Fastener Portion）」（ネステガード（Nestegard）、１９９０年１月１６日発行）；米国特許第４，９４６，５２７号、名称「感圧性接着剤締結具及びその作製方法（Pressure-Sensitive Adhesive Fastener And Method of Making Same）」（バトレル（Battrell）、１９９０年８月７日発行）；上で参照された米国特許第５，１５１，０９２号（ブエル（Buell）、１９９２年９月９日発行）；及び米国特許第５，２２１，２７４号（ブエル（Buell）、１９９３年６月２２日発行）に開示されている。代表的な連結締結装置は、同時係属中の米国特許第６，４３２，０９８号、名称「吸収性物品締結具（Absor
bent Article Fastening Device）」（クライン（Kline）らの名前で２００２年８月１３日発行）に開示されている。締結装置５５はまた、米国特許第４，９６３，１４０号（ロバートソン（Robertson）ら、１９９０年１０月１６日発行）に開示されたような物品を処分形体に保持するための手段を提供してもよい。締結装置はまた、米国特許第４，６９９，６２２号、名称「改善された側部閉止を有する使い捨ておむつ（Disposable Diaper Having An Improved Side Closure）」（トゥーサン（Toussant）ら、１９８７年１０月１３日発行）に開示されるような一次及び二次締結装置を含み、重なり合った部分の移動を削減してもよく、或いは、米国特許第５，２４２，４３６号、名称「動的弾性ウエストバンドフィットを提供する締結装置を有する吸収性物品（Absorbent Article With Fastening System Providing Dynamic Elasticized Waistband Fit）」（ウェイル（Weil）ら、１９９３年９月７日発行）；米国特許第５，４９９，９７８号、名称「予め配設された弾力的屈曲ヒンジを有する動的弾性ウエスト機構を有する吸収性物品（Absorbent Article With Dynamic Elastic Waist Feature Having A Predisposed Resilient Flexural Hinge）」（ブエル（Buell）ら、１９９６年３月１９日発行）；米国特許第５，５０７，７３６号、名称「拡張的腹部パネルを備える動的弾性ウエスト機構を有する吸収性物品（Absorbent Article With Dynamic Elastic Waist Feature Comprising An Expansive Tummy Panel）」（クリア（Clear）ら、１９９６年４月１６日発行）；米国特許第５，５９１，１５２号、名称「予め配設された弾力的屈曲ヒンジを有する動的弾性ウエスト機構を有する吸収性物品（Absorbent Article With Dynamic Elastic Waist Feature Having A Predisposed Resilient Flexural Hinge）」（ブエル（Buell）ら、１９９７年１月７日発行）に開示されるようにフィットを改善してもよい。これらの特許及び同時係属出願の各々を、参考として本明細書に組み込む。
【００３３】
代替実施形態では、製造業者が物品を予備成形してパンツを創り出してもよい。本明細書で使用する用語「パンツ」は、乳幼児又は成人着用者用に設計された、ウエスト開口部及び脚開口部を有する使い捨て衣類を指す。パンツは、着用者の脚を脚開口部の中に挿入し、パンツを着用者の胴体下部周りの位置へと滑らせることによって、着用者の適所に配置されてもよい。パンツは、再締結可能な及び／又は再締結不可能な固着（例えば、継ぎ目、溶接、接着剤、粘着ボンド、締結具など）を使用して物品の部分を互いに接合することを含むがこれらに限定されない、いずれかの好適な技術により予備成形されてもよい。パンツは、物品の周囲に沿ってどこで予備成形されてもよい（例えば、側部を締結する、前側ウエストを締結する）。本明細書で用語「パンツ」を使用する場合、パンツは通常「閉じたおむつ」、「予め締結されたおむつ」、「プルオンおむつ」、「トレーニングパンツ」、及び「おむつパンツ」とも呼ばれる。好適なパンツは、米国特許第５，２４６，４３３号（ハッセ（Hasse）ら、１９９３年９月２１日発行）；米国特許第５，５６９，２３４号（ブエル（Buell）ら、１９９６年１０月２９日発行）；米国特許第６，１２０，４８７号（アシュトン（Ashton）、２０００年９月１９日発行）；米国特許第６，１２０，４８９号（ジョンソン（Johnson）ら、２０００年９月１９日発行）；米国特許第４，９４０，４６４号（ヴァン・ゴンペル（Van Gompel）ら、１９９０年７月１０日発行）；米国特許第５，０９２，８６１号（野村（Nomura）ら、１９９２年３月３日発行）；米国特許出願１０／１７１，２４９、名称「非常に可撓性で低変形性の固着装置（Highly Flexible And Low Deformation Fastening Device）」（２００２年６月１３日出願）；米国特許第５，８９７，５４５号（クライン（Kline）ら、１９９９年４月２７日発行）；米国特許第５，９５７，９０８号（クライン（Kline）ら、１９９９年９月２８日発行）に開示されており、その各々の開示を参考として本明細書に組み込む。
【００３４】
おむつ２０はまた、カフ、前側及び後側耳パネル、ウエストキャップ機構、ベルト、及びゴムなどを含む当技術分野で既知の他の機構を含んで、より良いフィット、収容性、及び美的特質を提供してもよい。このような追加の機構は、当技術分野で周知であり、米国特許第３，８６０，００３号と第５，１５１，０９２号とに説明されており、これらを参考として本明細書に組み込む。
【００３５】
おむつ２０は、好ましくはウエスト領域の一方を着用者の背中の下に配置し、おむつの残部を着用者の脚の間に引っ張り、他方のウエスト領域を着用者の前側全域に配置することにより、着用者に適用される。次に介護人は締結要素５５を使用して前後のウエスト領域を接合し、着用者のウエストを取り囲む。伸縮性サイドパネルは、典型的には、この操作中に伸張されてピンと張り、着用者の大きさ及び形状に適合するであろう。
【００３６】
図２は、その平らに展開した非収縮（即ち、伸縮性により生じる収縮のない）状態における、本発明のおむつ１２０の代表的な非限定的実施形態の平面図であり、着用者の衣類に接触するバックシート１２６は、観察者に向いて示されている。バックシート１２６は、次の物理的特性：坪量、厚さ、及び密度の少なくとも１つの点で互いに異なる少なくとも２つのバックシート区域を有する。例えば、第２バックシート区域１７０は、前記物理的特性の１つが、第１バックシート区域１６０よりも低い値を有する。その上、第２バックシート区域１７０における前記特性の、第１バックシート区域１６０における同じ特性の値に対する比率は、約０．８未満、より好ましくは約０．７未満、最も好ましくは約０．６未満である。典型的には、第２バックシート区域１７０における特性の、第１バックシート区域１６０における特性に対する比率は、約０．５〜約０．８の範囲内である。重要なことに、バックシートの物理的特性は、バックシートが引き伸ばされて平らに展開した状態（即ち、ひだのある、折り畳まれた、しわの寄った、又は弾力的にギャザーを寄せた状態ではない）にあり、且つ、物品の残部から注意深く取り外されたときに測定される。そのように実施する際、サンプルを破らないように、又はサンプルのいかなる部分にも意図しない大きな変形を起こさないように注意しなければならない。サンプルの層は、必要な場合には、サンプルの隣接する層からの分離を補助するために凍結させてもよい。凍結は、マサチューセッツ州、ウォルサムにあるフィリップスＥＣＧ社（Philips ECG Inc.）製のＰＨ１００−１５回路冷媒を使用して達成してもよい。バックシート区域の平均坪量は、バックシート区域の既知の面積の重さを量り、その後、その重量を測定された面積で割ることにより測定されてもよい。或いは、サンプル打抜型を使用して、適切な首尾一貫した所定のサンプルサイズを確保してもよい。そのように実施する際、打抜きは、最終的にバックシートが他の層から取り外される限りにおいて、物品の１つ以上の層で作られてもよい。このような方法では、当初のサンプルの坪量は、サンプル重量を所定の切断区域（即ち、当初のサンプルサイズ）の面積で割ったものに等しいので、その後の、重さを測る前のバックシート材の何らか変形は重要ではない。最後に、そして以下でも当てはまるとおり、前記物理的特性は、適切であれば複数の測定値の平均として計算されてもよい。本明細書で説明された本発明のバックシート区域は、好ましくは主におむつの中央部に位置し、おむつの長手方向軸線と重なり合う。
【００３７】
第２バックシート区域１７０のより低い坪量、厚さ又は密度は、前記第２バックシート区域の長さ及び幅寸法の少なくとも１つの部分的な塑性変形（例えば、伸張）を含むがこれに限定されない、いずれかの既知の好適な技術により達成されてもよい。例えば、前記伸張は、米国特許第５，１６７，８９７号、名称「ゼロ歪伸縮積層体ウェブを漸増的に伸張して弾性を付与する方法（Method for incrementally stretching a zero strain stretch laminate web to impart elasticity thereto）」（ウェーバー（Weber）ら、１９９２年１２月１日）に記載されたような、一般にリングローリング（ring rolling）と呼ばれる方法により実施してもよい。異なる第１及び第２バックシート区域を生み出すためには、リングロールの係合の深さが、バックシート１２６の長手方向軸線１０００に沿って変化してもよい。
【００３８】
バックシート材を伸張する上記の方法は、噛み合って互いに貫通し合う歯を有する傾斜又は非傾斜リングロールの使用を含むがこれらに限定されない、いずれかの好適な技術により達成されてもよい。どちらの場合にも、歯は、材料の幅及び／又は長さに沿って異なる係合深さで材料と係合して、異なる伸張の区域を提供してもよい。典型的には、前記係合は、材料に０％〜２００％の歪みを加える。
【００３９】
傾斜稼動の場合、例えば、係合深さの変化は、ロールの歯が異なる深さで係合できるよう、噛み合うロールを異なる周囲に機械加工することにより成し遂げられてもよい。非傾斜稼動の場合、例えば、ロールは、合致する同心の直径に合わせて作られてもよいが、ロールの中心−中心間距離は、ロールの係合深さを変えるために変更されてもよい。例えば、上方ロールは、下方へ駆動されて下方ロールと係合してもよいが、上方ロールは、（例えば、ロールシャフトに接したカムにより）周期的に引き上げられて係合深さを変えてもよい。
【００４０】
材料を伸張する場合、前記材料の穴は好ましくないことが多い。不要な穴の数を最小限にする１つの既知の技術は、歪み速度を制御する（例えば、８００ｓｅｃ−１未満、より好ましくは３００ｓｅｃ−１未満）ことである。歪み速度は、回転速度及び直径を制御することにより制御されてもよい。加えて、２つ又はそれ以上の隣接した稼動歯にまたがる区域内に接着剤を適用する場合は、穴が生じてもよい。さらに具体的には、接着剤は歪んで損傷してもよく、従って隣接した材料に穴を生じさせる高い歪み速度を発生する。接着破壊を最小限にするための１つの既知の技術は、前記接着剤が２つ又はそれ以上の隣接した稼動歯にまたがらぬよう、前記接着剤を非連続的な様式で適用することである。別の既知の技術は、伸張プロセスの前又は最中に前記接着剤に対して（例えば、摂氏４０度を超える、或いはより好ましくは摂氏５０度を超える）熱を加え、前記接着剤の流動性をより高く且つ脆性をより低くすることである。
【００４１】
採用された伸張方法にかかわらず、異なるバックシート区域を組み込むことにより、着用者の解剖学的構造の変化する三次元的性質について、吸収性物品１２０の様々な成形が可能となる。例えば、第２バックシート区域１７０は、その前記物理的特性の１つの値がより低いので、着用者の周りでより心地よい。さらに、第２バックシート区域１７０は、その伸張状態において着用者の解剖学的構造をより良くカバーする。その結果、第２バックシート区域は、着用者の周り、例えば、着用者の体が最も突き出ている臀部領域３９に適合するのにより良く適している。逆に、第１バックシート区域１６０は、股領域３７及び前側ウエスト領域３６において着用者に適応するために適合性である必要はない。
【００４２】
ある好ましい実施形態では、第２バックシート区域は、吸収性コアの後側部分と重なり合う。これらの実施形態では、コアと重なり合った第２バックシート区域の部分は、好ましくはコアに固着されないか、物品の長手方向軸線に沿った狭い領域内で固着されるかのどちらかである。吸収性コアと第２バックシート区域との結合面積は、好ましくは重なり合った面積の半分未満である。他の好ましい実施形態では、第２バックシート区域は、物品の後側横方向縁部に完全に延びるわけではない（即ち、物品の後側横方向縁部におけるバックシートの全経路長は、第２バックシート区域内におけるバックシートの全経路長よりも短い）。
【００４３】
加えて、本発明に従い、エラストマー要素１９０をバックシート１２６に適用し、着用者の体に対するフィット維持及び適合性を提供してもよい。エラストマー要素１９０は、第２バックシート区域１７０と少なくとも部分的に重なり合った区域、及び好ましくは物品の長手方向軸線と重なり合った区域においてバックシート１２６に接合されてもよい。好ましくは、エラストマー要素１９０の弛緩経路長は、接合区域内の第２バックシート区域１７０の範囲内のバックシート１２６の全経路長よりも短い。例えば、エラストマー要素１９０の弛緩経路長の、接合区域内の第２バックシート区域１７０の範囲内のバックシート１２６の全経路長に対する比率は、約０．８未満、より好ましくは約０．７未満、最も好ましくは約０．６未満である。重要なことには、これらの経路長同士の相違は、伸張区域の最大伸張を画定する。エラストマー要素は、バックシートからの最小限の抵抗のみを伴い、伸張区域内でバックシートの全経路長まで伸張してもよい。しかし、一旦エラストマー要素がバックシートの全経路長まで伸張したら、バックシート材は、さらなる伸張に対して著しく抵抗する（即ち、バックシートは、「力の壁（force wall）」を提供する働きをし、着用できる吸収性物品において通常遭遇する力の下、さらに著しく伸張するのを防ぐ）。加えて、追加的な力の壁を提供するためには、トップシート２４の経路長がバックシート１２６の経路長よりも短くてもよい。この現象は、一旦着用者のウエストに装着されてから、或いは着用者の身体的活動による応力を受けてから、物品のたるみを防ぐために重要である。加えて、好ましい実施形態では、伸張区域を一定の割合に伸張させるための力は、伸張耳部又はサイドパネルの１つをそれに釣り合うだけ伸張させるために必要とされる力よりも小さい。
【００４４】
エラストマー要素１９０は、伸張（例えば、リングローリング（ring rolling））プロセスの前、伸張されていない状態で望ましいバックシート区域内でバックシート１２６に固着されてもよい。エラストマー要素１９０は、伸張プロセスの間、バックシート区域の中でそれらが重なり合った区域内でバックシート１２６と殆ど同じ程度まで歪みを与えられてもよい。しかし、歪みを与える張力を緩めると同時に、エラストマー要素１９０は、伸張区域内でバックシート１２６よりもさらに小さい経路長まで弛緩する（即ち、エラストマー要素１９０は、加えられた歪みよりも大きい割合を回復する）。別の方法としては、エラストマー要素１９０は、前述の伸張工程の前又は後、予め伸張された状態でバックシート１２６若しくはトップシートに付着してもよい。好適なエラストマー要素としては、フィルム、孔あきフィルム、ストランド、押出ストランド、押出エラストマー、スロットコーティングされたエラストマー系接着剤、プリントされたエラストマー、スクリム、発泡体、弾性不織布、及び（上記米国特許第５，９１６，６６３号に例示された）ＳＥＬＦされた材料（SELFed materials）が挙げられるが、これらに限定されない。好ましい実施形態では、エラストマー要素１９０がほぼ横方向に配向され、バックシート１２６がバックシート伸張プロセスでほぼ同じ方向に伸ばされるので、結果として着用者の後側ウエストの周りに配向された伸張区域１７２の主要伸張ベクトル１７３が得られる。
【００４５】
バックシート区域（例えば、第２バックシート区域１７０）とエラストマー要素（例えば、エラストマー要素１９０）とが重なり合う場所では、伸張区域１７２が生まれる。さらに具体的には、例えば、エラストマー要素１９０は、第２バックシート区域１７０の少なくとも部分的に重なり合った区域に接合され、伸張区域１７２を形成する。故に伸張区域１７２は、着用者の体の変化する三次元形状に対して、改善された適用範囲、フィット維持及び適合性の複合機能を提供する。伸張区域１７２は、上述のように、そのエラストマー要素１９０の弛緩経路長を測定することにより、及びその第２バックシート区域１７０の全経路長を測定することにより特徴付けられてもよい。
【００４６】
典型的には、伸張区域は次の特性を有する：（１）少なくとも約０．０３Ｎ／ｃｍ、好ましくは０．０３Ｎ／ｃｍ〜約５０Ｎ／ｃｍ、より好ましくは約０．０５Ｎ／ｃｍ〜約４０Ｎ／ｃｍ、最も好ましくは０．２５ｎ／ｃｍ〜約３０Ｎ／ｃｍの弾性抵抗力（即ち、２５％伸張での標準負荷）；２）約２５％未満、好ましくは約１５％未満、より好ましくは約１０％未満のパーセントセット；及び（３）約５０％未満、好ましくは約３０％未満、より好ましくは約２０％未満の応力緩和値。これらの特性を測定する方法は、米国特許出願１０／２８８０９５（２００２年１１月５日出願、ＵＳ２００３／００８８２２８Ａ１として公開）において与えられる。
【００４７】
各伸張区域は、どの方向へも連続的な又は非連続的な特性を有してもよく、変化する特性としては化学的組成、弾性、伸張性、最大伸張、その他の応力／歪み特性、ベクトル又は角度、坪量、形状、寸法、三次元モルホロジー（morphology）、視覚的区別、及び同種のものが挙げられる。伸張区域は、連続的な特性を有してもよい（例えば、エラストマー組成物、基材物質及び／又は処理が比較的均質な特性を有する）。或いは、伸張区域は、非均質的な特性をそこに付与することにより、非連続的な特性を有してもよい。ある実施形態では、少なくとも１つの伸張区域の少なくとも一部分は、視覚的に区別できてもよい。ある好ましい実施形態では、伸張区域は、連続的な張力の線における弾性エネルギーを蓄えて物品の適合性及びフィット維持を向上させるために、物品の後方締結具の間の領域と少なくとも部分的に重なり合う。
【００４８】
図３は、その平らに展開した非収縮（即ち、伸縮性により生じる収縮のない）状態における、本発明のおむつ２２０の別の代表的な非限定的実施形態の平面図であり、着用者の衣類に接触するバックシート２２６は、観察者に向いて示されている。図２と同様、おむつ２２０は、第１バックシート区域２６０と第２バックシート区域２７０とを有する。加えて、おむつ２２０は、第３バックシート区域２８０を有する。第１バックシート区域２６０は、主に股領域２３７及び前側ウエスト領域２３６内に配設されている。第２バックシート区域２７０は、主に後側ウエスト領域２３８の遠位部分内に配設されている。第３バックシート区域２８０は、第２バックシート区域２７０の長手方向に内側寄りに（例えば、主に臀部領域２３９内に）配設されている。第３バックシート区域２８０は、第２バックシート区域２７０よりもさらに低い坪量、厚さ、又は密度を有し、第２バックシート区域２７０は、第１バックシート区域２６０よりもさらに低い坪量、厚さ、又は密度を有する。第３バックシート区域２８０は、着用者の外に突き出た臀部に適合するように設計される。おむつ２２０はまた、第２バックシート区域２７０の一部分と重なり合うと共に重なり合った部分内でおむつに接合されるエラストマー要素２９０を有し、こうして矢印２７３で示された横方向に主要な伸張方向を有する伸張区域２７２を形成する。伸張区域２７２は、本明細書に記載したように、エラストマー要素２９０の弛緩経路長を測定することにより、及びその第２バックシート区域２７０内の全経路長を測定することにより特徴付けられてもよい。伸張区域２７２（即ち、エラストマー要素２９０と結合された第２バックシート区域２７０）は、以下に論ずるように、おむつ２２０を着用者の背下部領域に繋ぎ留めるために、後側ウエスト領域２３８の遠位部分付近に位置している。この実施形態で例示されたように、すべてのバックシート区域（ここでは第３バックシート区域２８０）がエラストマー要素と重なり合うとは限らない。第３バックシート区域２８０はおむつ２２０に弾性回復を与えないものの、第３バックシート区域は、例えば、物品のウエスト又は臀部領域を通じて、特に第３バックシート区域２８０が吸収性コア（図示せず）又は他のおむつのより厚くより堅い要素に付着しない領域内で着用者の解剖学的構造を覆って適合すると共に、解剖学的構造、或いは着用者又はおむつ又はその内容物の動きに伴う張力若しくは負荷に耐える機能を果たしてもよい。例示されたように、これらの区域は、伸張区域（単数又は複数）を含むバックシート区域（単数又は複数）とは異なる特性を有する別個の区域であってもよい。或いは、これらの区域は、バックシート区域の、エラストマー要素に接合されていない部分を含んでもよい。最後に、非限定例では、吸収性コア（図示せず）は、第３バックシート区域２８０内で長手方向中心線１０００に沿ってバックシート２２６に付着しているか、又は該バックシート区域が吸収性コアと重なり合っている領域内で全く付着していないかのどちらかである。別の非限定例では、吸収性コア（図示せず）は、第２バックシート区域２７０内には延びない。
【００４９】
図４は、その平らに展開した非収縮（即ち、伸縮性により生じる収縮のない）状態における、本発明のおむつ３２０のさらに別の代表的な非限定的実施形態の平面図であり、着用者の衣類に接触するバックシート３２６は、観察者に向いて示されている。図３と同様、おむつ３２０は、第１バックシート区域３６０、第２バックシート区域３７０、及び第３バックシート区域３８０を有する。第１バックシート区域３６０は、主に股領域３３７及び前側ウエスト領域３３６内に配設されている。第２バックシート区域３７０は、主に後側ウエスト領域３３８の遠位部分内に配設されている。第３バックシート区域３８０は、主に後側ウエスト領域３３８内で、少なくとも一部が臀部領域３３９内に延びた状態で配設されている。第３バックシート区域３８０は、第２バックシート区域３７０よりもさらに低い坪量、厚さ、又は密度を有し、第２バックシート区域は、第１バックシート区域３６０よりもさらに低い坪量、厚さ、又は密度を有する。第３バックシート区域３８０は、外に突き出た着用者の臀部に適合するように設計される。おむつ３２０はまた、第２バックシート区域３７０及び第３バックシート区域３８０の一部に重なり合って接合されるエラストマー要素３９０を有し、こうして矢印３７３で示される横方向に主な伸張方向を有する２つの別個の伸張区域３７２，３８２を形成する。この方法では、第１伸張区域３７２及び第２伸張区域３８２を生み出すためには、単一のエラストマー要素３９０のみが必要である。伸張区域３７２（即ち、エラストマー要素３９０と結合された第２バックシート区域３７０）は、以下に論ずるように、おむつ３２０を着用者の臀部下部に繋ぎ留めるために、後側ウエスト領域３３８の遠位部分付近に位置している。伸張区域３８２（即ち、エラストマー要素３９０と結合された第３バックシート区域３７０）は、伸張区域３７２の長手方向に内側寄りに位置していると共に、締結要素３５５とほぼ横方向に一直線になっている。伸張区域３８２は、伸張区域３７２よりもさらに伸張できるので、特に締結要素の間で張力の線を発生させて加える間、着用者又は介護人による締結要素３５５の横方向の引っ張りを容易にし、一方で伸張区域３７２は、後側ウエスト領域３３８内で繋ぎ留めつづけて後側ウエスト縁部に隙間ができるのを防ぐ。非限定例では、吸収性コア（図示せず）は、第３バックシート区域３８０内で長手方向中心線１０００に沿ってバックシート３２６に付着しているか、又は全く付着していないかのどちらかである。別の非限定例では、吸収性コア（図示せず）は、第２バックシート区域３７０内には延びない。
【００５０】
図５は、その平らに展開した非収縮（即ち、伸縮性により生じる収縮のない）状態における、本発明のおむつ４２０のさらに別の代表的な非限定的実施形態の平面図であり、着用者の衣類に接触するバックシート４２６は、観察者に向いて示されている。図３と同様、おむつ４２０は、第１バックシート区域４６０、第２バックシート区域４７０、及び第３バックシート区域４８０を有する。第１バックシート区域４６０は、主に股領域４３７及び前側ウエスト領域４３６内に配設されている。第２バックシート区域４７０は、主に後側ウエスト領域４３８の遠位部分内に配設されている。第３バックシート区域４８０は、主に後側ウエスト領域４３８内で、少なくとも一部が臀部領域４３９内に延びた状態で配設されている。第３バックシート区域４８０は、第２バックシート区域４７０よりもさらに低い坪量、厚さ、又は密度を有し、第２バックシート区域４７０は、第１バックシート区域４６０よりもさらに低い坪量、厚さ、又は密度を有する。第３バックシート区域４８０は、外に突き出た着用者の臀部に適合するように設計される。おむつ４２０はまた、第２バックシート区域４７０の一部分に重なり合って接合される第１エラストマー要素４９０を有し、このようにして矢印４７３で示されたような横方向に主な伸張方向を有する第１伸張区域４７２を形成する。加えて、おむつ４２０は、第３バックシート区域４８０の一部分に重なり合って接合される第２エラストマー要素４９３を有し、このようにして矢印４８３で示されたような非線形（例えば、ほぼＵ字形）形体の主な伸張方向を有する第２伸張区域４８２を形成する。この方法では、２つのエラストマー要素４９０，４９３は、それぞれ第１伸張区域４７２及び第２伸張区域４８２を生み出すために使用される。伸張区域４７２（即ち、エラストマー要素４９０と結合された第２バックシート区域４７０）は、以下に論じるように、おむつ４２０を着用者の臀部下部に繋ぎ留めるために、後側ウエスト領域４３８の遠位部分付近に位置している。伸張区域４８２（即ち、エラストマー要素４９０と結合された第３バックシート区域４７０）は、臀部領域４３９内で外形に沿って伸張するために、伸張区域４７２の長手方向に内側寄りに位置している。非限定例では、吸収性コア（図示せず）は、第３バックシート区域４８０内で長手方向中心線１０００に沿ってバックシート４２６に付着しているか、又は全く付着してないかのどちらかである。別の非限定例では、吸収性コア（図示せず）は、第２バックシート区域４７０内には延びない。
【００５１】
図６は、その平らに展開した非収縮（即ち、伸縮性により生じる収縮のない）状態における、本発明のおむつ５２０のさらに別の代表的な非限定的実施形態の平面図であり、着用者の衣類に接触するバックシート５２６は、観察者に向いて示されている。図３と同様、おむつ５２０は、第１バックシート区域５６０、第２バックシート区域５７０、及び第３バックシート区域５８０を有する。第１バックシート区域５６０は、主に股領域５３７及び前側ウエスト領域５３６内に配設されている。第２バックシート区域５７０は、主に後側ウエスト領域５３８内に配設されている。第３バックシート区域５８０は、主に前側ウエスト領域５３６内に配設されている。第３バックシート区域５８０は、第２バックシート区域５７０よりもさらに低い坪量、厚さ、又は密度を有し、第２バックシート区域５７０は、第１バックシート区域５６０よりもさらに低い坪量、厚さ、又は密度を有する。おむつ５２０はまた、第３バックシート区域５８０の一部分に重なり合って接合されるエラストマー要素５９０を有し、こうして矢印５８３で示されたような長手方向に主な伸張方向を有する伸張区域５８２を形成する。この実施形態では、当業者は、バックシートを長手方向に伸張するのが望ましいこと、またバックシート区域５８０及びエラストマー要素５９０の経路長は、同じく長手方向に測定されるべきであることを認識するであろう。伸張区域５８２（即ち、エラストマー要素５９０と結合された第３バックシート区域５８０）は、着用者の胴体の変化する長さを考慮しておむつ５２０の適用中の可変的な伸張を容易にするために、前側ウエスト領域５３６内に位置する。非限定例では、吸収性コア（図示せず）は、第２バックシート区域５７０内には延びない。非限定例では、吸収性コア（図示せず）は、伸張区域５８２内でバックシート５２６に取り付けられていない。当業者は、この特定の実施形態では、後側ウエスト領域５６０内に第２バックシート区域５７０が存在しなくても実施されてもよいことを認識されたい。
【００５２】
図７は、その平らに展開した非収縮（即ち、伸縮性により生じる収縮のない）状態における、本発明のおむつ６２０のさらに別の代表的な非限定的実施形態の平面図であり、着用者の衣類に接触するバックシート６２６は、観察者に向いて示されている。図３と同様、おむつ６２０は、第１バックシート区域６６０、第２バックシート区域６７０、及び第３バックシート区域６８０を有する。第１バックシート区域６６０は、主に股領域６３７及び前側ウエスト領域６３６内に配設されている。第２バックシート区域６７０は、主に後側ウエスト領域６３８の遠位部分内に配設されている。第３バックシート区域６８０は、主に後側ウエスト領域６３８内で、少なくとも一部が臀部領域６３９内に延びた状態で配設されている。第３バックシート区域６８０は、第２バックシート区域６７０よりもさらに低い坪量、厚さ、又は密度を有し、第２バックシート区域６７０は、第１バックシート区域６６０よりもさらに低い坪量、厚さ、又は密度を有する。第３バックシート区域６８０は、外に突き出た着用者の臀部に適合するように設計される。おむつ６２０はまた、第２バックシート区域６７０の一部分に重なり合って接合されるエラストマー要素６９０を有し、このようにして矢印６７３で示されたような横方向に主な伸張方向を有する別個の伸張区域６７２を形成する。伸張区域６７２（即ち、エラストマー要素６９０と結合された第２バックシート区域６７０）は、以下に論ずるように、おむつ６２０を着用者の臀部下部に繋ぎ留めるために、後側ウエスト領域６３８の遠位部分付近に位置している。
【００５３】
伸張区域６７２は、ウエストの周りにほぼ連続的な張力の線を生み出して適合するフィット維持を促進するために、好ましくは耳部６９７及び／又は耳部６９７上に配設された締結具６５５と一直線になってもよい。図７に示すように、伸張区域６７２は、好ましくは、どちらかの締結具６５５の長手方向に外側寄りの縁部６５５ａ及び６５５ｂとつながる、２つの想像線６５６ａ及び６５６ｂの１つと少なくとも部分的に重なり合う。おむつ６２０が締結具６５５を含まない実施形態では、例えば、図８のおむつパンツ７２０において、想像線６５６ａ及び６５６ｂは、耳部６９７の最も狭い外側寄りの点縁部６９７ａ及び６９７ｂとつながってもよい。幾つかの実施形態では、強化部材を使用して、耳部６９７全体にわたる伸張力をさらに分散させてもよい。締結具よりも幅広い強化要素（図示せず）を含むかかる実施形態では、想像線の間隔は、強化要素の長手方向の長さにより画定される。
【００５４】
非限定例では、吸収性コア（図示せず）は、第３バックシート区域６８０内で長手方向中心線１０００に沿ってバックシート６２６に付着しているか、又は全く付着してないかのどちらかである。別の非限定例では、吸収性コア（図示せず）は、第２バックシート区域６７０内には延びない。
【００５５】
図８は、その予備成形されていない平らに展開した非収縮（即ち、伸縮性により生じる収縮のない）状態における本発明のパンツ７２０の代表的な非限定的実施形態の平面図であり、構造体の部分は、おむつ７２０の下層構造をより明瞭に示すために切り取られ、着用者に接触するおむつ７２０の部分は、観察者に向いて示されている。おむつ７２０は、長手方向軸線１０００と横方向軸線１１００とを含む。おむつ７２０の１つの末端部分７３６は、おむつ７２０の前側ウエスト領域７３６として構成される。対向する末端部分７３８は、おむつ７２０の後側ウエスト区域７３８として構成される。おむつ７２０の中間部分７３７は、前側及び後側ウエスト領域７３６及び７３８の間で長手方向に延びる股領域７３７として構成される。ウエスト領域７３６及び７３８は、一般に、着用されたときに着用者のウエストを取り巻くおむつ７２０の部分を構成する。ウエスト領域７３６及び７３８は弾性要素を含み、着用者のウエストの周りで縮んで、改善されたフィットと封入性を提供してもよい。股領域７３７は、おむつ７２０が着用されたときに着用者の脚の間に概ね位置するおむつ７２０の部分である。おむつ７２０の別の中間部分７３９は、後側ウエスト領域７３８の近位端の中又は付近に位置する臀部領域として構成される。おむつ７２０の外周は、それぞれ前側及び後側ウエスト領域７３６、７３８に沿って位置する長手方向縁部７１４及び端縁部７１０、７１２により画定される。第１連結区域７５７ａ、７５７ｂは、消費者が購入する前（例えば、包装する前）に、図８に例示されたようにそれぞれ第２連結区域７５９ａ、７５９ｂに取り付けられる。おむつ７２０は、好ましくは、着用者の脚を脚開口部を通して挿入し、次に、おむつ７２０を着用者の臀部に引き上げることにより着用者に適用される。
【００５６】
本明細書では、当業者は、本発明がパンツ（例えば、図８）及び予備成形されていない（例えば、図１）吸収性物品に適用されてもよいことを考慮し、認識すべきである。そのようなものとして、全ての本明細書で開示された実施形態及び予測可能な実施形態は、パンツ及び予備成形されていない吸収性物品の両方に適用される。
【００５７】
図９は、図７からの代表的な非限定的実施形態のおむつ６２０の平面図である。図１０ａは、図示されたように着用された、図１１の線１０−１０に沿った図９からのおむつ６２０の概略的な断面図である。図１０ａの目的上、おむつ６２０は、予備成形されてもされなくてもよい前側締結式製品手法を有するおむつとして例示されている。耳部６９７は、矢印６９８で示されたような横方向に伸張特性を有して示されている。おむつ６２０は、ベクトル６７３で示されるような横方向の伸張を有する第１伸張領域（例えば、第２バックシート区域６７０）が、同じ引っ張り力の下でベクトル６９８で示されるような横方向の伸張を有する第２伸張領域（例えば、耳部６９７）と共に伸張するとき、より良い適合性及びフィット維持を提供することが発見された。この方法では、第１伸張領域（例えば、第２バックシート区域６７０）は、第２伸張領域（例えば、耳部６９７）がほぼ伸張する（即ち、その限界近くまで伸張する、つまり、その最大伸張近くまで伸張する）前に伸張して着用者に適合する；別の方法では、第１領域は、しわが寄り、隙間ができ、及び／又はたるみ始めることがある。実際面で、介護人がおむつ６２０を一定の張力を加えて適用するとき、第１伸張領域は、単に第２伸張領域がその限界近くまで伸張するときに伸張し始めるのではなく、第２伸張領域と共に伸張すべきである。好ましい手法では、第２伸張領域内の歪みは、約１Ｎ〜約４Ｎの横方向に加えられた引っ張り荷重の下で、少なくとも約１０％〜約７５％未満である。同じ引っ張り荷重の下で、第１伸張領域内の歪みは、好ましくは約５％よりも大きく、より好ましくは約１０％よりも大きく、最も好ましくは少なくとも第２伸張領域内の歪みに殆ど等しい。第１及び第２領域同士が示す共伸張は、（ａ）第１及び／又は第２伸張区域の長手方向の長さ及び／又は横方向の幅を変化させること［例えば、長手方向により短いバックシート区域／伸張区域に比べ、長手方向により長い耳部／サイドパネル］、並びに（ｂ）第１及び／又は第２伸張区域の引っ張り係数を変化させること［例えば、バックシート区域／伸張区域に関する引っ張り係数は、耳部／サイドパネルに関する引っ張り係数より低くてもよい］を含むがこれらに限定されない、種々の製品設計構成／技術を通じて付与されてもよい。
【００５８】
図１０ａと同様、図１０ｂは予備成形されてもされなくてもよいサイド締結型製品手法を有するおむつを示し、ベクトル７７３で示されるような横方向の伸張を有する第１伸張領域（例えば、第２バックシート区域７７０）は、同じ引っ張り力の下で、横方向の伸張７９８を有する第２伸張領域（例えば、サイドパネル７９７）と共に伸張する。用語「耳部」は本明細書で非パンツおむつを指すときに使用され、用語「サイドパネル」は本明細書でパンツおむつを指すときに使用されるものの、２つの用語は、本発明について認識するとき本明細書で交換可能に使用されてもよい。
【００５９】
図１１は、着用者９００により着用された、図２からの代表的な非限定的実施形態のおむつ１２０の側面図である。図２に同様に例示されたように、バックシート１２６、第１バックシート区域１６０、第２バックシート区域１７０、エラストマー要素１９０、伸張区域１７２、及び締結要素１５５が示されている。図１２は、図１１からのおむつ１２０の概略的な側面図である。次に図１１及び１２の両方に関して、伸張区域１７２は、背下部ウエスト区域９１０内に概ね位置するおむつ１２０の後側ウエスト端部１３６に位置してもよい。この方法では、おむつ１２０が臀部９２０（即ち、臀部の「棚（shelf）」）の凸状部において又は真上で着用者の体に張力を加え、おむつ１２０の繋留能力（即ち、そのたるみに抵抗する能力）全体に貢献するとき、着用者９００は最大のフィット及び快適性を経験するであろう。前記別の方法では、伸張区域１７２は、その性能を最大限に活用するために、おむつ１２０を、低運動区域９３０（即ち、ヒップ上の背中の腰部湾曲を着用者の体９００の腹部の折れ目の下までつなげる線又は区域）に対する最適のフィット形状に維持する働きをする。低運動区域のより詳細な論議については、米国特許第５，３５８，５００号を参照のこと。
【００６０】
伸張力を測定するための試験方法
１．物品の片側（例えば、図１０ａ中の７５９ａ及び７５７ａ）の締結具構成要素を連結する。物品が予備成形されたパンツである場合、試験前に物品の片側の連結部を破断する。
【００６１】
２．物品を横方向軸線１１００に沿って切断する。
【００６２】
３．第１伸張領域及び第２伸張領域の両方の範囲内に、一組のチェックマーク（即ち、しるし）を付ける。各組のチェックマークについて、横方向の隙間を測定する。
【００６３】
４．対向する連結されていない末端部／締結構成要素を、少なくとも材料をクランプできるほど広いつかみ具内に把持する。つかみ具の間で第１及び第２伸張領域に横方向の引っ張り力を加えることができるよう把持部を取り付けるべきである。
【００６４】
５．１回目の試験では、１Ｎの引っ張り力を加え、次に、前記引っ張り力を加えてから約１５秒以内に、物品をつかみ具内に保持している間に各組のチェックマークについて横方向の隙間を測定する。
【００６５】
６．２回目の試験では、合計２Ｎの引っ張り力を加え、次に、前記引っ張り力を加えてから約１５秒以内に、物品をつかみ具内に保持している間に各組のチェックマークについて横方向の隙間を測定する。
【００６６】
７．３回目の試験では、合計４Ｎの引っ張り力を加え、次に、前記引っ張り力を加えてから約１５秒以内に、物品をつかみ具内に保持している間に各組のチェックマークについて横方向の隙間を測定する。
【００６７】
８．各試験回の第１及び第２伸張領域について、歪み＝［１００×（距離（最終）−距離（最初））／距離（最初）］を計算する。
【００６８】
９．第１伸張領域と第２伸張領域との歪みを比較する。次の関係性が、３回の試験回の少なくとも１回に当てはまるべきである：
第１伸張領域は、次の場合に第２伸張領域と共に伸張すると言われている：（ａ）第２伸張領域内の歪みが少なくとも約１０％〜約７５％未満の場合、及び（ｂ）第１伸張領域内の歪みが好ましくは約５％よりも大きく、より好ましくは約１０％よりも大きく、最も好ましくは少なくとも第２伸張領域内の歪みに殆ど等しい場合。
【００６９】
第２領域は伸張可能であってもよく、或いはより好ましくは弾性的であってもよい。第２領域は、前記前側ウエスト領域６３６の長手方向中心線１０００付近の位置、長手方向中心線１０００から横方向に外側寄りでどちらかのウエスト領域内の長手方向縁部６１４の一方若しくは両方の付近、或いは１つ以上のウエスト領域内で１つ以上の長手方向縁部６１４に取り付けられたサイドパネル６９７の中を含むがこれらに限定されない、前側ウエスト領域６３６又は後側ウエスト領域６３８のいずれかの部分に位置してもよい。
【００７０】
引用される全ての文献は、その関連部分において参考として本明細書に組み込まれるが、いずれの文献の引用もそれが本発明に関連する先行技術であることの容認として解釈されるべきではない。
【００７１】
本発明の特定の実施形態が例示及び記載されてきたが、本発明の精神及び範囲から逸脱することなく他の様々な変更及び修正を実施できることが、当業者には明らかであろう。従って、本発明の範囲内にあるそのような全ての変更及び修正を、添付の特許請求の範囲で扱うものとする。
【００７２】
例えば当業者は、本発明が、その他の着用可能な吸収性物品、例えば、着用者の解剖学的構造の少なくとも一部分を取り囲む又は囲い込む、或いは別の方法で着用者に固定される月経用及び成人用失禁製品にも組み込まれてもよいことを認識されたい。
【００７３】
当業者は、伸張区域が、横方向若しくは長手方向の中心線に対して、又は互いに対して平行であっても平行でなくてもよいことも認識されたい。加えて、伸張区域は、互いに異なる物理的及び／又は弾性特性を有してもよい。
【００７４】
当業者は、エラストマー要素が、線形及び非線形（例えば、ほぼＵ字形など）を含むがこれらに限定されない、いずれかの好適な形状で構成されてもよいことも認識されたい。
【００７５】
本明細書で開示された代表的な実施形態は、第１バックシート区域よりもさらに低い坪量、厚さ、又は密度を有する第２バックシート区域、第２バックシート区域よりもさらに低い坪量、厚さ、又は密度を有する第３バックシート区域を図示しているものの、一部の応用例では、第２バックシート区域及び／又は第１バックシート区域が第３バックシート区域よりも低い物理的特性値を有してもよいことも当業者は認識されたい。例えば、図３に関して、（主に後側ウエスト領域２３８の遠位部分内に配設された）第２バックシート区域２７０は、（主に臀部領域２３９内に配設された）第３バックシート区域２８０のものよりもさらに低い坪量、厚さ又は密度を有してもよい。この方法では、第２バックシート区域２７０は第３バックシート区域２８０よりもさらに高い通気性（即ち、増加された空気透過性）を提供し、従って、着用者のウエスト領域内により良い乾燥度及び快適性を提供するのに対し、第３バックシート区域２８０は十分な排出物封入性を確保することにより適している。別の実施例では、第３バックシート区域２８０は、（例えば、パンツに関して）十分な伸張を与えて物品のプルオン適用を可能にするために、第２バックシート２７０のものよりもさらに低い坪量、厚さ又は密度を有してもよい。
【００７６】
本明細書で開示された代表的な実施形態では、例えば、より少ない伸張を与えてフィット及び形状を維持するために端縁部１２からわずかに離れて配置された第２バックシート区域が図示されているものの、当業者は、この隔たり（即ち、離れた配置）の長さが変化してもよく、隔たりがない場合も含まれることを理解するであろう。
【００７７】
本明細書では、坪量、厚さ及び密度の物理的特性は本発明を認識及び測定するための方式として論じられているものの、当業者は、引っ張り係数もまた、時には本発明を認識するために測定できる容認可能な物理的特性であってもよいことを理解するであろう。引っ張り係数の差異は、好ましくは、バックシート伸張の０％〜５％、或いは０％〜２５％、或いは０％〜５０％のバックシート歪みで測定されてもよい。
【００７８】
「発明を実施するための最良の形態」で引用したすべての文献は、関連部分において本明細書に参考として組み込まれるが、どの文献の引用も、それが本発明に関する先行技術であるとの容認と解釈されるべきではない。
【００７９】
本発明の特定の実施形態が例示及び記載されてきたが、本発明の精神及び範囲から逸脱することなく他の様々な変更及び修正を実施できることが、当業者には明らかであろう。従って、本発明の範囲内にあるそのような全ての変更及び修正を、添付の特許請求の範囲で扱うものとする。
【図面の簡単な説明】
【００８０】
【図１】本発明に従うおむつの代表的な非限定的一般実施形態の平面図。
【図２】本発明に従うおむつの代表的な非限定的実施形態の平面図。
【図３】本発明に従うおむつの別の代表的な非限定的実施形態の平面図。
【図４】本発明に従うおむつのさらに別の代表的な非限定的実施形態の平面図。
【図５】本発明に従うおむつのさらに別の代表的な非限定的実施形態の平面図。
【図６】本発明に従うおむつのさらに別の代表的な非限定的実施形態の平面図。
【図７】本発明に従うおむつのさらに別の代表的な非限定的実施形態の平面図。
【図８】本発明に従うパンツの代表的な非限定的一般実施形態の平面図。
【図９】図７の代表的な非限定的実施形態の平面図。
【図１０ａ】図示されたように着用された、図１１の線１０−１０に沿う、図９の代表的な非限定的実施形態の概略的な断面図。
【図１０ｂ】図示されたように着用された、図１１の線１０−１０に沿う、図８の代表的な非限定的実施形態概略的な断面図。
【図１１】着用者により着用された、図２の代表的な非限定的実施形態のおむつの側面図。
【図１２】図１１のおむつの概略的な側面図。
【図１】
2007530232.tif 000003
【図２】
2007530232.tif 000004
【図３】
2007530232.tif 000005
【図４】
2007530232.tif 000006
【図５】
2007530232.tif 000007
【図６】
2007530232.tif 000008
【図７】
2007530232.tif 000009
【図８】
2007530232.tif 000010
【図９】
2007530232.tif 000011
【図１０ａ】
2007530232.tif 000012
【図１０ｂ】
2007530232.tif 000013
【図１１】
2007530232.tif 000014
【図１２】
2007530232.tif 000015
【国際調査報告】
2007530232.tif 000016
2007530232.tif 000017
2007530232.tif 000018
2007530232.tif 000019